(57)【要約】【課題】盛土の前面に植生ポットを積み上げた盛土構造において、該植生ポットが崩れにくい構造を提供する。【解決手段】盛土１０の前面１０ａに筒状のネット枠２１内に土壌２２を充填してなる植生ポット２０を積み上げてなる盛土構造において、水平方向に複数個配置された植生ポット２０において、植生ポット２０の底面から背面並びに上面に沿って連続する一連一体の補強ネット３０を配置する。【選択図】図１
2018145673.tif 000002
【特許請求の範囲】
【請求項１】
前面が傾斜した盛土の前記前面に沿って、柱体状の植生ポットが水平方向に複数個及び垂直方向に複数段配置された盛土構造であって、
前記植生ポットは、筒状のネット枠と、該ネット枠内に充填された土壌と、からなり、
水平方向に配置された複数個の前記植生ポットの底面から背面並びに上面に沿って連続する一連一体の補強ネットを有し、
垂直方向に隣接する２段において、上段の前記植生ポットの底面に配置された前記補強ネットと、下段の前記植生ポットの上面に配置された前記補強ネットと、が互いに重なっており、
前記植生ポットの上面は、内部の土壌が露出した領域を有することを特徴とする盛土構造。
【請求項２】
前記ネット枠は、前記補強ネットに連結されていることを特徴とする請求項１に記載の盛土構造。
【請求項３】
前面が傾斜した盛土の前記前面に沿って、柱体状の植生ポットが水平方向に複数個及び垂直方向に複数段配置された盛土構造であって、
前記植生ポットは、背面に配置された補強ネットと該補強ネットに連結されたネット枠とで構成された筒状体と、該筒状体内に充填された土壌と、からなり、
前記補強ネットは、水平方向に配置された複数個の前記植生ポットの背面を構成すると同時に、前記背面から底面及び上面に沿って延設された連続する一連一体のネットであり、
水平方向に配置された複数個の前記植生ポットの前記ネット枠は、連続する一本の帯状ネットからなり、
垂直方向に隣接する２段において、上段の前記植生ポットの底面に配置された前記補強ネットと、下段の前記植生ポットの上面に配置された前記補強ネットと、が互いに重なっており、
前記植生ポットの上面は、内部の土壌が露出した領域を有することを特徴とする盛土構造。
【請求項４】
垂直方向に隣接する２段において、上段の前記植生ポットの底面に配置した前記補強ネットと、下段の前記植生ポットの上面に配置した前記補強ネットとが、互いに連結されていることを特徴とする請求項１乃至３のいずれか一項に記載の盛土構造。
【請求項５】
前記補強ネットは、前記盛土の前記前面に連結されていることを特徴とする請求項１乃至４のいずれか一項に記載の盛土構造。
【請求項６】
水平方向に隣接する２個の前記植生ポットを構成する前記ネット枠同士が、前記前面より離れた位置で互いに連結されていることを特徴とする請求項１乃至５のいずれか一項に記載の盛土構造。
【請求項７】
前記盛土が発泡プラスチックブロックの盛土材からなる請求項１乃至６のいずれか一項に記載の盛土構造。
【請求項８】
請求項１に記載の盛土構造の構築方法であって、
水平方向に複数個配置される前記植生ポットの底面及び背面となる位置に沿って、前記補強ネットを敷設する工程と、
垂直方向に筒状のネット枠を前記補強ネットの前面に配置する工程と、
前記ネット枠内に土壌を充填して植生ポットを形成する工程と、
前記植生ポットの背面から突出する前記補強ネットを、前記植生ポットの上面に重ねる工程と、
を下段から上段に向かって複数回繰り返すことを特徴とする盛土構造の構築方法。
【請求項９】
請求項３に記載の盛土構造の構築方法であって、
水平方向に複数個配置される前記植生ポットの底面及び背面となる位置に沿って、前記補強ネットを敷設する工程と、
前記帯状ネットを、水平方向において所定の間隔を介して前記補強ネットに連結して、前記盛土の前面に沿って複数の前記ネット枠を形成する工程と、
前記ネット枠内に土壌を充填して植生ポットを形成する工程と、
前記植生ポットの背面から突出する前記補強ネットを、前記植生ポットの上面に重ねる工程と、
を下段から上段に向かって複数回繰り返すことを特徴とする盛土構造の構築方法。
【発明の詳細な説明】
【技術分野】
【０００１】
本発明は前面が傾斜した盛土の該前面を緑化する盛土構造とその構築方法に関する。
【背景技術】
【０００２】
宅地や道路の造成に伴って構築した盛土の前面を緑化する方法としては、例えば特許文献１に、筒状のネット枠中に土壌を充填してなる植生ポットを、水平方向に複数個及び垂直方向に複数段、前記盛土の前面に配置してなる盛土構造が開示されている。
【先行技術文献】
【特許文献】
【０００３】
【特許文献１】特開２０１４−１０９１５９号公報
【発明の概要】
【発明が解決しようとする課題】
【０００４】
特許文献１に開示されたような、盛土の前面に沿って複数の植生ポットを積み上げた盛土構造においては、係る前面に沿って上方より植生ポット内を通過する土圧力がかかる。そのため、地震などで強い衝撃を受けた際に、積み上げた植生ポットが崩れてしまうおそれがある。
【０００５】
本発明の課題は、盛土の前面に植生ポットを積み上げた盛土構造において、該植生ポットが崩れにくい構造を提供することにある。
【課題を解決するための手段】
【０００６】
本発明の第一は、前面が傾斜した盛土の前記前面に沿って、柱体状の植生ポットが水平方向に複数個及び垂直方向に複数段配置された盛土構造であって、
前記植生ポットは、筒状のネット枠と、該ネット枠内に充填された土壌と、からなり、
水平方向に配置された複数個の前記植生ポットの底面から背面並びに上面に沿って連続する一連一体の補強ネットを有し、
垂直方向に隣接する２段において、上段の前記植生ポットの底面に配置された前記補強ネットと、下段の前記植生ポットの上面に配置された前記補強ネットと、が互いに重なっており、
前記植生ポットの上面は、内部の土壌が露出した領域を有することを特徴とする。
【０００７】
上記本発明の第一の盛土構造においては、下記の構成を好ましい態様として含む。
前記ネット枠は、前記補強ネットに連結されている。
【０００８】
本発明の第二は、前面が傾斜した盛土の前記前面に沿って、柱体状の植生ポットが水平方向に複数個及び垂直方向に複数段配置された盛土構造であって、
前記植生ポットは、背面に配置された補強ネットと該補強ネットに連結されたネット枠とで構成された筒状体と、該筒状体内に充填された土壌と、からなり、
前記補強ネットは、水平方向に配置された複数個の前記植生ポットの背面を構成すると同時に、前記背面から底面及び上面に沿って延設された連続する一連一体のネットであり、
水平方向に配置された複数個の前記植生ポットの前記ネット枠は、連続する一本の帯状ネットからなり、
垂直方向に隣接する２段において、上段の前記植生ポットの底面に配置された前記補強ネットと、下段の前記植生ポットの上面に配置された前記補強ネットと、が互いに重なっており、
前記植生ポットの上面は、内部の土壌が露出した領域を有することを特徴とする。
【０００９】
上記本発明の第一、第二の盛土構造においては、下記の構成を好ましい態様として含む。
垂直方向に隣接する２段において、上段の前記植生ポットの底面に配置した前記補強ネットと、下段の前記植生ポットの上面に配置した前記補強ネットとが、互いに連結されている。
前記補強ネットは、前記盛土の前記前面に連結されている。
水平方向に隣接する２個の前記植生ポットを構成する前記ネット枠同士が、前記前面より離れた位置で互いに連結されている。
前記盛土が発泡プラスチックブロックの盛土材からなる。
【００１０】
本発明の第三は、上記第一の盛土構造の構築方法であって、
水平方向に複数個配置される前記植生ポットの底面及び背面となる位置に沿って、前記補強ネットを敷設する工程と、
垂直方向に筒状のネット枠を前記補強ネットの前面に配置する工程と、
前記ネット枠内に土壌を充填して植生ポットを形成する工程と、
前記植生ポットの背面から突出する前記補強ネットを、前記植生ポットの上面に重ねる工程と、
を下段から上段に向かって複数回繰り返すことを特徴とする。
【００１１】
本発明の第四は、上記第二の盛土構造の構築方法であって、
水平方向に複数個配置される前記植生ポットの底面及び背面となる位置に沿って、前記補強ネットを敷設する工程と、
前記帯状ネットを、水平方向において所定の間隔を介して前記補強ネットに連結して、前記盛土の前面に沿って複数の前記ネット枠を形成する工程と、
前記ネット枠内に土壌を充填して植生ポットを形成する工程と、
前記植生ポットの背面から突出する前記補強ネットを、前記植生ポットの上面に重ねる工程と、
を下段から上段に向かって複数回繰り返すことを特徴とする。
【発明の効果】
【００１２】
本発明においては、植生ポットの上面及び底面が補強ネットによって部分的に覆われているため、植生ポットにかかる土圧力が該補強ネットによって遮断され、個々の植生ポットにかかる土圧力が緩和される。また、補強ネットは背面から上面並びに底面に連続し、さらに、水平方向に配置した複数個の植生ポットにおいて一連一体で連続しているため、係る複数個の植生ポットが一体化して崩れにくい。よって、本発明によれば、地震などで強い衝撃を受けても植生ポットが崩れにくい盛土構造が提供される。
【図面の簡単な説明】
【００１３】
【図１】本発明の盛土構造の一実施形態の構成を模式的に示す図であり、（ａ）は斜視図、（ｂ）は側面図である。
【図２】本発明の盛土構造の他の実施形態の構成を模式的に示す図であり、（ａ）は斜視図、（ｂ）は側面図である。
【図３】図１の盛土構造の構築方法を示す図であって、１段目の補強ネットを盛土に取り付けた状態を示す斜視図である。
【図４】図１の盛土構造の構築方法を示す図であって、１段目の補強ネットに複数個のネット枠を取り付けた状態を示す図であり、（ａ）は斜視図、（ｂ）は上面図である。
【図５】図１の盛土構造の構築方法を示す図であって、１段目の植生ポットを形成した状態を示す図であり、（ａ）は斜視図、（ｂ）は上面図である。
【図６】図１の盛土構造の構築方法を示す図であって、２段目の補強ネットを盛土に取り付けた状態を示す斜視図である。
【図７】本発明に係る、ネット枠同士の連結方法を示す図である。
【図８】本発明の盛土構造の他の実施形態の構築方法を示す図であって、１段目の補強ネットに複数個のネット枠を取り付けた状態を示す斜視図である。
【図９】本発明の盛土構造の他の実施形態の構築方法を示す図であって、図８に示される１段目の補強ネットに帯状ネットを取り付けて複数個のネット枠を形成した状態を示す斜視図である。
【発明を実施するための形態】
【００１４】
本発明は、前面が傾斜した盛土の該前面に、柱体状の植生ポットを水平方向及び垂直方向にそれぞれ複数配置してなる盛土構造とその構築方法である。
【００１５】
本発明において、「盛土」とは土壌或いは盛土材であり、盛土材としては発泡プラスチックブロックが好ましく用いられる。また、「前面が傾斜した盛土」とは、盛土の前面が上方に向かうに連れて後方に傾斜した傾斜面である形態と、前面が上方に向かうに連れて順次後方に後退し、階段状に形成された形態と、を含む。
【００１６】
また、本発明の第１の形態では、盛土の前面に補強ネットを取り付け、予め筒状に形成したネット枠を該補強ネットの前面に配置し、該ネット枠内に土壌を充填して植生ポットを形成し、第２の形態では、盛土の前面に補強ネットを取り付け、該補強ネットに帯状ネットを取り付けて筒状体を形成し、該筒状体内に土壌を充填して植生ポットを形成する。先ず、第１の形態について説明する。
【００１７】
図１，図２は本発明の第１の形態の盛土構造の実施形態であり、図１は盛土の前面が傾斜面である場合、図２は盛土の前面が階段状である場合を示す。また、図１（ａ）、図２（ａ）は斜視図であり、図１（ｂ）、図２（ｂ）は側面図である。図中、１０は盛土、１０ａは盛土１０の前面、２０は植生ポットであり、２１は筒状のネット枠、２２は土壌である。
【００１８】
本実施形態は、図１，図２に示すように、盛土１０の前面１０ａに配置された植生ポット２０が、筒状のネット枠２１内に土壌２２を充填してなる。植生ポット２０は水平方向に複数個配置されて１段を構成し、さらに、係る段が垂直方向に複数段配置される。尚、図１，図２においては、１段毎に植生ポット２０の位置を水平方向に半個分ずらせて配置している。このように、１段毎に植生ポット２０の位置が水平方向にずれていることにより、植生ポット２０の上面の露出領域を広くすることができる。尚、本発明は係る配置に限定されるものではなく、盛土１０の前面１０ａの傾斜した分だけ前後にずれて、下段の植生ポット２０の上に上段の植生ポット２０を配置して良い。
【００１９】
本発明においては、各段に、補強ネット３０が配置されていることに特徴を有する。図１、図２に示すように、補強ネット３０は、各段において、複数個の植生ポット２０の底面から背面（盛土１０の前面１０ａ側）並びに上面に沿って連続する一連一体である。よって、図１（ｂ）、図２（ｂ）に示すように、垂直方向に隣接する２段において、上段の植生ポット２０の底面に位置する補強ネット３０と、下段の植生ポット２０の上面に位置する補強ネット３０とが重なる。このように、植生ポット２０の上面及び底面に配置された補強ネット３０によって、植生ポット２０に係る土圧力が遮断される。また、補強ネット３０は、水平方向に複数個配置された植生ポット２０に沿って連続して配置されているため、係る複数個の植生ポット２０を該補強ネット３０が支持し、一体化する。よって、本発明においては、地震等の強い衝撃を受けた際にも、積み上げた植生ポット２０が崩れにくい。
【００２０】
補強ネット３０は、植生ポット２０の重みによって固定され、ずれにくいが、積み上げた植生ポット２０の崩れを防止する上で、（１）ネット枠２１を補強ネット３０に連結しておく、（２）垂直方向に隣接する２段において、上段の植生ポット２０の底面に配置された補強ネット３０と、下段の植生ポット２０の上面に配置された補強ネット３０とを互いに連結しておく、（３）補強ネット３０を盛土１０の前面１０ａに連結しておく、（４）水平方向で隣接する２個の植生ポット２０のネット枠２１同士を互いに連結しておく、のいずれか、或いは２以上の手段を講じておくことが望ましい。
【００２１】
本発明において、植生ポット２０の上面は内部の土壌が露出した領域を有している。本発明においては、図１（ａ），図２（ａ）に示すように、下段から上段に向かって、植生ポット２０の位置が後退するため、植生ポット２０の上面には、より上段の植生ポット２０が重ならない領域が存在する。本発明においては、係る領域を植物の生育領域として確保するため、係る領域が補強ネット３０で全て覆われてしまわないように、植生ポット２０の上面及び底面に配置する補強ネット３０の幅を調整する。尚、垂直方向に隣接する２段において、上段の植生ポット２０の底面に配置する補強ネット３０と、下段の植生ポット２０の上面に配置する補強ネット３０とは、互いに重なる領域が有れば、それぞれの端部が一致する必要はなく、多少前後にずれていても構わない。
【００２２】
次に、図１に示した盛土構造の構築方法について、図３〜図７を用いて説明する。尚、図４，図５においてそれぞれ、（ａ）は斜視図、（ｂ）は上面図である。
【００２３】
先ず、図３に示すように、盛土１０の前面１０ａに補強ネット３０を配置し、好ましくは、補強ネット３０を前面１０ａに連結する。補強ネット３０は、植生ポット２０の背面に重なる領域を前面１０ａに重ね、植生ポット２０の底面に沿うように、下端側を折り曲げて前面１０ａより突出させておく。
【００２４】
次いで、垂直方向に筒状のネット枠２１を用意し、図４（ａ）に示すように、水平方向に複数個を補強ネット３０の前面に配置する。この時、ネット枠２１を補強ネット３０に連結すること、及び、隣接する２個のネット枠２１同士を連結することが好ましい。具体的には、図４（ｂ）に示すように、１個のネット枠２１については水平方向において互いに離れた二箇所（連結部３１）で補強ネット３０に取り付け、さらに複数個のネット枠２１については、互いに隙間無く補強ネット３０に取り付ける。また、水平方向に隣接するネット枠２１同士を、前面１０ａから前方に離れた位置（連結部３２）で互いに連結する。
【００２５】
本例において、補強ネット３０と盛土１０の前面１０ａとの連結は、例えば、アンカー筋やバンドを用いた方法がとられる。また、ネット枠２１同士の連結には、図７に示すように、隣接するネット枠２１，２１を互いに絡め合って、重なって形成された間隙に連結ピン４１を差し込むことで容易に連結することができる。同様に、補強ネット３０とネット枠２１との連結も連結ピン４１で連結することができる。尚、本例においては、ネット枠２１を補強ネット３０に連結した例を挙げたが、アンカー筋などを用いて、補強ネット３０を挟んでネット枠２１を盛土１０の前面１０ａに連結しても良い。
【００２６】
次いで、図５（ａ），（ｂ）に示すように、ネット枠２１内に土壌２２を充填して柱体状の植生ポット２０を形成し、該植生ポット２０の上面に、該植生ポット２０の背面側に突出した補強ネット３０の上端側を重ねる。本例では、図４（ｂ）に示したように、各ネット枠２１を二箇所の連結部３１，３１で補強ネット３０に連結し、さらに、隣接する２個のネット枠２１同士を盛土１０の前面１０ａから離れた連結部３２で連結しているため、植生ポット２０の上面形状が、後方が方形で、前方が半円形となり、水平方向において隣接する２個の植生ポット２０の間に隙間がなく、強度に富む盛土構造を構成することができる。
【００２７】
尚、盛土１０の前面１０ａが水平方向において湾曲或いは屈曲する箇所においては、前面１０ａの形状に沿ってネット枠２１を変形して配置すれば良い。
【００２８】
２段目以降は、図６に示すように、下段の植生ポット２０の上面を部分的に覆う補強ネット３０に、上段の補強ネット３０の下端側が重なるように、上段の補強ネット３０を盛土１０の前面１０ａに配置し、図４〜図５の工程を行う。尚、この時に、上段の補強ネット３０と下段の補強ネット３０とを互いに連結することが好ましい。このように、図３〜図５の工程で、複数個の植生ポット２０を１段配置することができ、係る工程を下段から上段に向かって順次繰り返すことで、複数個の植生ポット２０を複数段積み上げて図１の盛土構造が得られる。
【００２９】
次に、本発明の第２の形態の盛土構造について説明する。
【００３０】
第１の形態では、上記したように、筒状のネット枠２１内に土壌２２を充填して柱体状の植生ポット２０が形成されていたため、背面においては、ネット枠２１と補強ネット３０とが重なる。これに対して第２の形態では、植生ポット２０の背面を補強ネット３０で構成したこと以外、第１の形態と同様である。よって、外観は、図１，図２とほぼ同様である。以下、第２の形態の盛土構造について、その構築工程を図８，図９に示して説明する。
【００３１】
図８に示すように、補強ネット３０を盛土１０の前面１０ａに配置し、好ましくは、補強ネット３０を盛土１０の前面１０ａに連結する。補強ネット３０は、植生ポットの背面となる領域を前面１０ａに重ね、植生ポットの底面に沿うように、下端側を折り曲げて前面１０ａより突出させておく。
【００３２】
次に、長尺の帯状ネット２３を、図８に示すように蛇腹状に折り畳み、図９に示すように所定の間隔を介して補強ネット３０に連結する。これにより、１本の帯状ネット２３で複数の植生ポットのネット枠２４が形成され、該ネット枠２４と補強ネット３０とで筒状体が形成される。よって、該筒状体の中に土壌を充填すれば、水平方向に複数個の植生ポットが盛土１０と隙間無く一体化した構造が得られる。尚、係る筒状体においても、上記第１の形態において、図４（ｂ）に示すようにネット枠２１同士を連結部３２で連結したのと同様にして、隣接するネット枠２４同士を盛土１０の前面１０ａから離れた位置で連結することで、水平方向に隣接する２個の植生ポットの間に隙間がなくなり、強度に富む盛土構造が得られるため、好ましい。次いで、植生ポットの背面から突出する補強ネット３０の上端側を、該植生ポットの上面に重ねる。係る工程を下段から上段に向かって順次繰り返すことで、植生ポットを複数段積み上げて本発明の盛土構造を得ることができる。尚、本形態においても、補強ネット３０を盛土１０の前面１０ａに連結すること、及び、２段目以降、上段の補強ネット３０を配置する際に、下段の補強ネット３０に連結することが好ましい。
【００３３】
本実施形態では、帯状ネット２３で複数個のネット枠２４を順次形成するため、盛土１０の前面１０ａの形状に合わせてネット枠２４の大きさや、ネット枠２４を補強ネット３０に連結する位置の間隔を調整することができる。その結果、盛土構造全体で脆弱な部位が発生するのを防止することができる。また、本形態では、第１の形態の如く、予め筒状のネット枠２１を形成する必要が無く、作業全体が簡素化される。
【００３４】
上記第１の形態及び第２の形態の構築方法においては、盛土１０の前面１０ａが傾斜面である場合を例に説明したが、盛土１０の前面１０ａが階段状である形態では、植生ポットの高さと段差とが等しくなるように調整する以外、構築工程は同様である。
【００３５】
盛土１０の前面１０ａの傾斜の程度としては、前面１０ａが傾斜面である形態では水平面と傾斜面とがなす角度が、前面１０ａが階段状である形態では階段の傾斜角が４５°〜７４°であることが好ましい。また、植生ポット２０の高さは盛土１０の前面１０ａの傾斜の程度にもよるが、２０ｃｍ〜３５ｃｍが好ましい。
【００３６】
本発明において、ネット枠２１、補強ネット３０、帯状ネット２３としては、特に限定されず、土壌を充填して本発明の盛土構造を構築することができる網状部材であれば用いることができる。好ましくは、高密度ポリエチレン（ＨＤＰＥ）からなるシートに複数の孔を穿ち、その後、シートを引き延ばして網状に形成したものが挙げられる。網状部材の間隙が大きすぎると土壌が流出しやすく、また、小さすぎると水はけが悪くなるため、例えば正方形の場合で一辺が２．５ｃｍ〜６．０ｃｍ程度となるように構成することが好ましい。
【符号の説明】
【００３７】
１０：盛土、１０ａ：盛土の前面、２０：植生ポット、２１，２４：ネット枠、２３：帯状ネット、２２：土壌、３０：補強ネット、３１，３２：連結部、４１：連結ピン
【図１】
2018145673.tif 000003
【図２】
2018145673.tif 000004
【図３】
2018145673.tif 000005
【図４】
2018145673.tif 000006
【図５】
2018145673.tif 000007
【図６】
2018145673.tif 000008
【図７】
2018145673.tif 000009
【図８】
2018145673.tif 000010
【図９】
2018145673.tif 000011